(57)【要約】【課題】既存の施設でも対応可能な車椅子でのプレーが行えるボウリング装置及びこのボウリング装置を構成するシーティングユニット等の各種機器を提供する。【解決手段】仕切部で仕切られた複数のレーンが並設されたレーンエリア２０と、このレーンエリア２０の手前に配置されるアプローチエリア３０と、このアプローチエリア３０の手前に配置されるボウラーズエリア４０とを備え、仕切部を、内部に通路が形成された第１仕切部２１と第２仕切部２２とで構成し、ボールリターンクラスタ３１とシーティングシステム５０を第１仕切部２１の延長線上に配置し、第２仕切部２２の延長線上に空間を形成する。  【選択図】図１
2006115969.tif 000002
【特許請求の範囲】
【請求項１】
仕切部で仕切られた複数のレーンが並設されたレーンエリアと、このレーンエリアの手前に配置されるアプローチエリアと、このアプローチエリアの手前に配置されるボウラーズエリアとを備え、
前記仕切部は、内部に通路が形成された第１仕切部と、第２仕切部とを備え、前記アプローチエリアは、前記第１仕切部の延長線上に配置されるボールリターンクラスタを備え、
前記ボウラーズエリアは、前記第１仕切部の延長線上に配置されるシーティングシステムを備えるとともに、前記第２仕切部の延長線上に空間を形成したことを特徴とするボウリング装置。
【請求項２】
請求項１に記載のボウリング装置において、
前記シーティングシステムは、内部に制御電算機を有する制御電算機卓と、この制御電算機卓の両側に配置された一対のシート部とからなるシーティングユニットを複数台接続した構成であり、
複数の前記シーティングユニットは、それぞれ前記第１仕切部の延長線上に沿って配置されていることを特徴とするボウリング装置。
【請求項３】
請求項２に記載のボウリング装置において、
前記シーティングシステムは、前記シーティングユニットの制御電算機の背面が重なるように配置された構成からなることを特徴とするボウリング装置。
【請求項４】
請求項２に記載のボウリング装置において、
前記シーティングシステムは、前記シーティングユニットのシート部の背面が重なるように配置された構成からなることを特徴とするボウリング装置。
【請求項５】
請求項２に記載のボウリング装置において、
前記シーティングシステムは、前記シーティングユニットのシート部の側面が重なるように配置された構成からなることを特徴とするボウリング装置。
【発明の詳細な説明】
【技術分野】
【０００１】
本発明は、ボウリング場の施設に関するものであり、特に、プレーヤーがプレーに備えて待機したり、スコアを付けるボウラーズエリアからアプローチエリアに至る機器の配置に関するものである。
【背景技術】
【０００２】
従来、ボウリング場では、ボウラーズエリアに待機しているプレーヤーが、アプローチエリアからレーンに向けて投球を行うことで、プレーを楽しむものである。このような、従来のボウリング場のレイアウトを図１７に示す。
図１７において、従来のボウリング場では、隣り合う２本のレーン１０と、この２本のレーン１０に対し、アプローチエリア３０に配置された１台のボールリターンクラスタ３１と、ボウラーズエリア４０に配置された１台の操作装置４５と、この操作装置４５の周囲に配置されたシート部８０により、１組のボウリング装置５００として構成されている。そして、このような１組のボウリング装置５００を、ボウラーズエリア４０に複数配置することで、ボウリング場が形成されている。
【０００３】
前記１組のボウリング装置５００は、一対のレーン１０の中央に配置された仕切部（第１仕切部２１）の内側に形成された回収通路を備え、投球されたボールは、この回収通路を通ってアプローチエリア３０に設置されたボールリターンクラスタ３１に回収される。このボールリターンクラスタ３１は、回収通路との位置関係やプレーヤーのアプローチの障害とならないように、回収通路の延長線に配置されている。
また、回収通路は配線通路としても利用されており、この配線通路を介してピンセッター装置２３やセンサー等の各種機器の配線が行われ、各種機器からの信号がボウラーズエリア４０に配置された操作装置４５に提供されるようになっている。
【０００４】
一方、前記操作装置４５は、配線通路との関係やプレーヤーのアプローチの障害とならないように、回収通路（配線通路）の延長線上に位置するボールリターンクラスタ３１の後方に配置された制御卓４６に設置され、プレーヤーのスコアを付けたり、あるいは監視したりすることができる。
【０００５】
このように、従来のボウリング場の施設は、隣り合う１対のレーンが１組のボウリング装置５００として設定され、各レーンは一方を回収通路を備えた第１仕切部２１で、他方を回収通路を備えない第２仕切部２１で仕切られている。そして、第１仕切部２１の延長線にボールリターンクラスタ３１と操作卓４６が縦列に設置され、第２仕切部２２の後方には待機用のシート部８０が設置されている。
【０００６】
しかしながら、前記従来例においては、各ボウリング装置のシート部が隣接して配置されているために、ボウラーズエリアが狭くなるという課題がある。そこで、この課題を改善するために、いくつかの提案が行われており、その一つとして、各レーン毎に制御卓とシート部とを交互に配置することで、ボウラーズエリアを広くすることが知られている（例えば、特許文献１参照）。
【０００７】
【特許文献１】特開平１０−１５５９６７号公報
【発明の開示】
【発明が解決しようとする課題】
【０００８】
近年、ボウリングはファン層が拡大し、車椅子でのプレーも行なわれるようになっている。しかし、前記従来例では、車椅子でのプレーを想定していないために、ボウラーズエリアで車椅子が自由に動ける環境ではない。この課題は、ボウラーズエリアを拡張すれば解決できるが、既存のボウリング場を利用して改築する場合も多く、これらの施設を新規に建て替えることには無理がある。特に、ボウリング場の場合、レーンに連続するアプローチエリアは床面の精度を高く設定しているために、簡単に改修することができない課題もある。
そこで、この発明の目的とするところは、既存の施設でも対応可能な車椅子でのプレーが行えるボウリング装置を提供することにある。
【課題を解決するための手段】
【０００９】
上記目的を達成するために、本発明によるボウリング装置は、仕切部で仕切られた複数のレーンが並設されたレーンエリアと、このレーンエリアの手前に配置されるアプローチエリアと、このアプローチエリアの手前に配置されるボウラーズエリアとを備え、前記仕切部は、内部に通路が形成された第１仕切部と、第２仕切部とを備え、前記アプローチエリアは、前記第１仕切部の延長線上に配置されるボールリターンクラスタを備え、前記ボウラーズエリアは、前記第１仕切部の延長線上に配置されるシーティングシステムを備えるとともに、前記第２仕切部の延長線上に空間を形成する。
【発明の効果】
【００１０】
本発明によれば、プレーヤーのデッドスペースとなる第１仕切部の延長線上に各機器を集中配置することで、第２仕切部の延長線上を隣り合うレーンの共通の通路として利用できるので、車椅子の動作エリアやシートに座って待機しているプレーヤーのアプローチエリアへの移動を楽にすることができる。
【発明を実施するための最良の形態】
【００１１】
以下、図１から図１６を参照して、この発明に係るボウリング装置を具体的に説明する。なお、同一の部位や方向などは、同一符号を持って示し、重複した説明を省略する。
先ず、図１を参照して、本発明に係るボウリング装置の第１の実施形態について説明する。図１は本発明の第１の実施形態に係るボウリング装置の概略構成を示す図である。
【００１２】
図１において、符号１で総括的に示すボウリング装置は、複数のレーン１０が並設されたレーンエリア２０と、このレーンエリア２０の手前に配置されるアプローチエリア３０と、アプローチエリア３０の手前に配置されるボウラーズエリア４０とを備えている。
【００１３】
レーンエリア２０は、並設されるレーン１０を仕切る仕切部を有しており、この仕切部は、回収通路を備えた第１仕切部２１と、回収通路を備えない第２仕切部２２とで構成されている。また、仕切部により仕切られた各レーン１０の端部には、ボウリング用のピンをセットするためのピンセッター装置２３が配置されている。このピンセッターマシン２３の前方には、図示しないランプ部を有するマスキング２４が設けられており、このマスキング２４はピンセッターマシン２３を隠すと共に、プレーヤーに対しランプ部で投球状態を示すようになっている。
【００１４】
アプローチエリア３０には、ボールを回収するボールリターンクラスタ３１と、例えば、天井からつり下げるように取り付けられた複数のオーバーヘッドモニタ３２が配置されている。
ボウラーズエリア４０には、複数のシーティングシステム５０が設けられており、このシーティングシステム５０は、制御電算機を内蔵した制御電算機卓５１と、この制御電算機卓５１の両側に設けられた一対のシート部８０とを備えたシーティングユニット５０ａを、図１の一点鎖線で示すように、２つ組み合わせることにより構成されている。
【００１５】
この実施形態の大きな特徴の１つは、第１仕切部２１の延長線上にボールリターンクラスタ３１とシーティングシステム５０を配置し、第２仕切部２２の延長線上を開放するようにした点にある。このような配置構成とすることにより、隣り合うシーティングシステム５０間の距離を広くすることができるので、例えば、車椅子に乗ったプレーヤーが開放された第２仕切部２２の延長線上を通ることができ、アプローチエリア３０への移動を容易に行うことができる。しかも、このシーティングユニット５０間を第２仕切部２２を介して隣り合うレーンへの共通の通路として利用することができる。これにより、レーンの配列方向の幅を広げることなく車椅子の移動性を確保することができる。
【００１６】
また、このような構成とすることにより、例えば、ボウラーズエリア４０を拡大するようにボウリング場の改修を行うような場合に、既存の施設を利用して各装置を接続することが可能となる。具体的には、既存の配線穴４１を利用してケーブルを引っ張り、シーティングシステム５０の下方に形成されたケーブル収納部（図７および図８参照）を介して接続することができるので、施設の改修に伴って、例えば、床面に新規な配線穴および溝を形成するなど、手間のかかる工事を必要とすることなく、施設の改修を行うことができる。
【００１７】
以下、図２から図１６を参照して、この実施形態をさらに詳細に説明する。先ず、図２を参照して、この実施形態に係るボウリング装置の機器接続について説明する。図２は、本発明の第１の実施形態に係るボウリング装置の機器接続を示すブロック図である。
図２において、ボウラーズエリア４０に設置されたシーティングユニット５０の制御電算機卓５１は、内部に制御電算機５２を備えるとともに、可搬型の操作端末機６０と、主に操作端末機６０の充電を行う充電台６１と、主にフロントとの連絡に使用される内部電話７０とを備えている。また、ボウラーズエリア４０には、充電台６１に電源を供給するＡＣアダプタ６４が設けられている。
【００１８】
操作端末機６０と制御電算機５２は、図示しない無線通信ユニットを備えている。これにより、操作端末機６０は、制御電算機５２との間で無線通信を行うことができるようになっており、充電台６１と接続した状態および充電台６１から取り外した状態の何れでも操作することができる。
アプローチエリア３０に設置されたボールリターンクラスタ３１やオーバーヘッドモニタ３２などは、回収通路（配線通路）に設けられたケーブルを介して有線接続されており、制御電算機５２から送信された情報、例えば、画像データ等をケーブルによりオーバーヘッドモニタ３２へ送信し、画像を表示するようになっている。
【００１９】
レーン１０には、ピンカメラ１１とボール通過センサ１２、感光センサ１３、ボール到達センサ１４などが設けられており、これら各機器は前記回収通路（配線通路）に配線されたケーブルで制御電算機５２と接続される。
フロント１６０には、レーン全体の管理、即ち、ボウラーズエリア４０に配置された複数のシーティングシステム５０を集中的に管理するメインコンピュータ１６１が配置されている。このメインコンピュータ１６１には、プリンタ１６２が接続されており、操作端末機６０から送信された信号に対応する情報の印字、例えば、レーン毎に設けられた操作端末機６０からゲーム終了の信号が送信された場合、そのレーンでプレーをしていたプレーヤーのスコアや利用料金を印字できるようになっている。
【００２０】
次に、図３から図６を参照して、制御電算機卓の構成について説明する。まず、図３を参照して、制御電算機卓の外観構成について説明する。図３は、本発明の第１の実施形態に係る制御電算機卓の外観を示す図であり、図３（ａ）は斜視図、図３(ｂ)は右側面図である。
図３において、制御電算機卓５１は、内部に制御電算機５２（図６参照）が設けられた筐体５５と、この筐体５５を覆うように設けられたＬ字型のテーブル部５６と、筐体５５の下方に設けられたケーブル格納部５７とを備え、テーブル部５６の天板５６ａには、操作端末機６０と内部電話機７０が配置されている。
【００２１】
筐体５５は、着脱可能あるいは開閉可能な複数の扉５５ａ、５５ｂ、５５ｃ、５５ｄを備えており、この複数の扉の全て、あるいは必要な扉を取り外したり、開閉したりすることで、内部に設けられた制御電算機５２のメンテナンスを容易に行うことができる。
【００２２】
また、筐体５５の背面（後扉５５ｃ）とテーブル部５６の背面板５６ｂとの間には排気空間５４が形成され、この排気空間５４を介して制御電算機５２を冷却した空気を外部へ排気できるようになっている。
操作端末機６０は、天板５６ａに形成された充電台６１に載せることで天板５６ａ上に配置され、充電台６１に乗せた状態で操作することにより、制御電算機５１に内蔵された制御電算機５２と無線通信を行ったり、あるいは操作端末機６０の充電を行うようになっている。なお、電話機７０は、ボウリング場の内部で通話を行うものであり、主にボウリング場のフロントと連絡をする際に使用されるものである。
【００２３】
次に、図４を参照して、筐体の扉の取り外し方について説明する。図４は、本発明の第１の実施形態に係る制御電算機卓の筐体の扉の取り外し方を示す図であり、図４（ａ）は前後の扉を取り外した状態を示す図、図４（ｂ）は左右の扉を取り外した状態を示す図である。
図４（ａ）において、前扉５５ａおよび後扉５５ｃは、その下端部が図示しないヒンジ機構により矢印Ｐ方向（前後方向）へ回転可能に支持され、かつ所定の位置まで回転させると矢印Ｑ方向へ引き抜くことができるようになっている。また、図４（ｂ）において、
右扉５５ｂおよび左扉５５ｄは、筐体５５の内側の上下に形成されたレール５３で支持されており、矢印Ｒ方向へスライドさせることにより、筐体５５から取り外すことができるようになっている。
【００２４】
このような構成とすることにより、制御電算機卓の設置状態に応じて、ヒンジ機構による扉の開閉および取り外し、あるいはレールによる扉の開閉および取り外しの方式を選択することができるので、筐体に内蔵された制御電算機等のメンテナンス時の作業性を良好にすることができる。
なお、図４においては、前扉および後扉はヒンジ機構による支持、右扉および左扉はレールによる支持を例として説明したがこれに限るものではない。例えば、前扉および後扉をレールにより開閉可能かつ着脱可能に支持、あるいは右扉および左扉をヒンジ機構により開閉可能かつ着脱可能に支持するような構成としてもよい。また、全ての扉をヒンジ機構により開閉可能かつ着脱可能に支持、あるいはレールにより開閉可能かつ着脱可能に支持するような構成としてもよい。
【００２５】
次に、図５を参照して、制御電算機卓５１の内部構成について説明する。図５は、本発明の第１の実施形態に係る制御電算機卓の機器接続を示すブロック図である。
図５において、制御電算機卓５１の内部に設けられた制御電算機５２は、アプローチエリア３０に配置されたボールリターンクラスタ３１を挟んだ２レーン分、即ち、回収通路を備えた第１仕切部２１に隣接する２つのレーンを管理しており、この２レーンにおける全ての動作の中心となるものである。この制御電算機５２には、操作端末機６０と無線通信を行う無線通信ユニット５８や外部機器接続ユニット５９、ダウンスキャンコンバータ１５０等の各種装置が接続されている。
外部機器接続ユニット５９には、ボール通過センサ１２や感光センサ１３、ボール到達センサ１４等の各種センサー類１７０や、スイッチボタン等の操作スイッチ類１８０、ボールリターンクラスタ３１等の大型機器３００が接続されるようになっている。
【００２６】
ダウンスキャンコンバータ１５０は、制御電算機５２から発信される映像、例えば、ゲーム中のスコア表やレーン未使用時の待機画面等の映像を高画質にするための装置であり、制御電算機５２から発信された映像は、ダウンスキャンコンバータ１５０を通して高画質にされた後、ケーブルを介してオーバーヘッドモニタ３２へ送信され、映像が表示されるようになっている。
【００２７】
図５において、１９０は電源制御装置であり、電源１９１からの電力を制御して制御電算機５２へ供給すると共に、ブレーカー１９２が落ちた状態でも制御電算機５２へ電力を供給することができるように構成されている。
図５において、２００はマウスやキーボード等の入力装置であり、この入力装置２００は、主に制御電算機のメンテナンス時に使用されるものである。
【００２８】
この実施形態では、制御電算機５２と操作端末機６０との間における情報の送受信を、無線通信により行う構成としたことに大きな特徴を備えている。このような構成とすることにより、大量のケーブルを接続して情報の送受信を行う従来の方式に対し、ケーブルの数を減少させることができるので、ケーブルの数や場所に影響されることのない設置性の良好な制御電算機卓、即ち、設置条件に合わせて自在に設置することができる制御電算機卓を実現することができる。しかも、制御電算機卓の近傍でしか操作できない従来の方式に対し、本実施形態では無線通信ユニットの通信可能範囲であれば、制御電算機卓から離れた場所でも操作端末機の操作を行うことができるので、制御電算機卓の操作性を良好にすることができる。
【００２９】
次に、図６を参照して、制御電算機の冷却構造について説明する。図６は、本発明の第１の実施形態に係る制御電算機の冷却構造を示す図であり、図６（ａ）は斜視図、図６（ｂ）は平面図である。
図６において、制御電算機卓５１の内部に設けられた制御電算機５２は、筐体５５の正面に形成された吸気穴（図示省略）から矢印Ａ１のように吸い込まれた空気により冷却され、冷却後の空気は筐体５５の背面に設けられた排気穴（図示省略）から排気するようになっている。
【００３０】
通常、筐体５５の正面から吸い込まれた空気は、図６（ｂ）で示すように、筐体５５の背面から矢印Ａ０の方向へ排気するのが最も効率が良い。しかしながら、２つのシーティングユニットの制御電算機卓５１を背中合わせで接続した１ボックスシーティングシステムを基本としているこの実施形態では、筐体５５の背面側に排気のための空間を十分に確保することができない。
【００３１】
そこで、この実施形態では、制御電算機卓５１のテーブル部５６を、筐体５５の上面と背面を覆うようなＬ字形状とし、筐体５５の背面側に排気空間（排気通路）を形成したことを特徴としている。具体的には、テーブル部５６の背面板５６ｂと筐体５５の背面側との間で排気空間５４（図３（ｂ）参照）を形成するようにテーブル部５６を配置し、排気穴から排気空間に排出された空気を背面板５６ｂに当て、その方向を横方向、例えば、矢印Ａ２で示す方向に変えて空気を逃がすようにしているので、排気穴をテーブル部５６を介して隠蔽しつつ、排気穴から放出される空気を効率よく排気することができる。
【００３２】
次に、図７を参照して、シート部の構成について説明する。図７は、本発明の第１の実施形態に係るシート部の外観を示す図であり、図７（ａ）が斜視図、図７（ｂ）が右側面図である。
図７において、シート部８０は、座面８１と荷物台８２とをコ字形状の側面板８３で接続することによりシート筐体８４を構成し、このシート筐体８４の下方にケーブル収納部８５を設けた外観を備えている。座面８１には複数のカップホルダー８６が設けられており、座面８１に座るプレーヤー（ボウラー）が、飲料の入った容器を置くことができるようになっている。また、座面８１の裏側と荷物台８２との間には、荷物台８２に置かれた荷物を収納するための収納空間８７が設けられている。
【００３３】
このように、この実施形態では、シート部８０にケーブル収納部８５と収納空間８７とを設けた構成に特徴を有している。特に、ケーブル収納部８５を設けたことにより、例えば、既存の配線穴や溝の位置に合わせてシート部８０をレイアウトすることができ、しかも大量のケーブルをケーブル収納部８５に収納することができる。
また、収納空間８７を設けたことにより、従来、ボウラーズエリアに置かれていた荷物や靴等を収納空間８７に収納することができるので、障害物のない動き易いボウラーズエリアを実現することができる。
【００３４】
次に、図８を参照して、この実施形態に係るシーティングシステムの外観構造について説明する。図８は、本発明の第１の実施形態に係るシーティングシステムを示す斜視図である。
図８において、符号５０で総括的に示すのは、この実施形態に係るシーティングシステムであり、このシーティングシステム５０は、制御電算機卓５１とこの制御電算機卓５１を挟むように配置された一対のシート部８０とで構成されたシーティングユニット５０ａを、背中合わせに２つ接続した構成とすることで、１組のシーティングシステム５０（１ボックスのシーティングシステム）を構成している。そして、このシーティングシステム５０を、図１で示すように、第１仕切部２１の延長線上に位置するボウラーズエリア４０に複数台配置することで、ボウリング装置を構成している。
【００３５】
この実施形態におけるシーティングシステム５０は、操作端末機６０からの入力信号を、無線通信により制御電算機卓５１の内部に収納された制御電算機５２に送信することに大きな特徴を有している。このような無線通信を採用することにより、シーティングシステムを構成する２つの制御電算機卓の一方にのみ制御電算機を設ければよいので、設置コストを低減することが可能となる。
また、シート部８０は、制御電算機卓５１と接続される端部が制御電算機卓５１の天板５６ａで覆われるように接続されるので、シート部８０と制御電算機卓５１との接続部分に生じる隙間を目立たなくすることができる。
【００３６】
次に、図９から図１１を参照して、操作端末機の構成について説明する。図９は、本発明の第１の実施形態に係る操作端末機の外観を示す図であり、図９（ａ）は前方斜視図、図９（ｂ）は後方斜視図である。図１０は、本発明の第１の実施形態に係る充電台の外観を示す図であり、図１０（ａ）は斜視図、図１０（ｂ）は操作端末機との接続状態を示す図である。図１１は、本発明の第１の実施形態に係る操作端末機の保持状態を示す図であり、図１１（ａ）が保持状態を示す正面図、図１１（ｂ）が保持状態を示すＡ−Ａ’断面図である。
【００３７】
図９（ａ）において、操作端末機６０は、本体の正面に設けられた表示部６５と、上面に設けられた電源スイッチ６６やランプ部６７、ブザー部６８、リセット穴６９などを備えるとともに、本体周辺に大きな丸みを持たせた外観形状としている。
表示部６５は、タッチパネル式の操作表示画面であり、この操作表示画面（表示部６５）に表示される図示しない各種操作ボタンやガイダンスに従って、タッチパネルを操作することにより、ゲーム開始の準備操作やゲーム中の操作、ゲーム終了時の操作などを行うようになっている。
【００３８】
ランプ部６７は、操作端末機６０の動作状態を示すものであり、例えば、点灯表示や点滅表示により操作端末機６０の動作状態を示すようになっている。本実施形態では、無線通信状態を示す第１ランプ６７ａと、バッテリーの充電量（残量）を示す第２ランプ６７ｂとで構成されている。
ブザー６８は、例えば、動作エラーやトラブルなどが生じた際、音により動作エラーやトラブルが生じたことを伝えるものである。また、リセット穴６９は、動作エラーやトラブルが生じた際に操作することで、操作端末機６０を初期状態に戻すものである。
【００３９】
図９（ｂ）において、本体の背面には、凹部９５と手掛け部９６、充電端子９７、開閉蓋９８等が設けられている。開閉蓋９８の内側には、図示しないバッテリーやバックアップ用の記録媒体、例えば、メモリーカードが収納されており、手掛け部９６に手を掛けて開閉蓋９８を開くとバッテリーと記録媒体が取り出せるようになっている。
【００４０】
図１０（ａ）において、充電台６１は、操作端末機６０の背面に形成された凹部９５と嵌合する凸部６２と、充電端子９７と接触する充電金具６３とを備えており、図１０（ｂ）で示すように、凹部９５と凸部６２とを嵌合させることで、凹部９５の周囲と凸部６２の周囲とが接触し、操作端末機６０が正確な位置で保持されるので、操作端末機６０の操作を安定した状態で行うことができる。
加えて、凹部９５と凸部６２とを嵌合させることにより、充電端子９７と充電金具６３ｂとを確実に接触させることができるので、操作端末機６０の充電を安定した状態で確実に行うことができる。
【００４１】
また、図１１で示すように、操作端末機６０を充電台６１から取り外した状態で操作する際には、表示部６５の両側を支えるように操作端末機６０を保持して操作を行う。具体的には、表示部６５の両側を親指および指の腹で支えるように支持し、かつその他の指を凹部９５へ引っ掛けるようにすることで、充電台６１に設置した際の操作と同じように、安定した状態で操作端末機６０を操作することができる。特に、この実施形態では、本体周辺に大きな丸みを設け、操作端末機を保持した際に手に馴染むようにすることができるので、操作端末機の持ちやすさを向上させることができる。
【００４２】
次に、図１２を参照して、本発明の実施形態に係るシーティングシステムの寸法関係について説明する。図１２は、本発明の第１の実施形態に係るシーティングユニットの一例を示す図であり、図１２(ａ)が斜視図、図１２（ｂ）が断面図である。
図１２（ａ）において、本実施形態のシーティングユニット５０ａは、制御電算機卓５１とこの制御電算機卓５１の両側に設けられた一対のシート部８０とを組み合わせた構成としている。
この実施形態では、シーティングユニット５０ａの全長Ｌ１を２５００ｍｍ、天板５６ａの全長Ｌ２を１０００ｍｍ、天板５６ａの幅Ｗ１を５００ｍｍ、シート部８０の奥行Ｄ１を５００ｍｍ、設置面から天板５６ａまでの高さＨ１を７００ｍｍ、設置面から座面８１までの高さＨ２を５００ｍｍ、筐体５２の幅Ｗ２を３５０ｍｍとしている。
【００４３】
このような寸法体系とすることにより、例えば、身長約１７０ｃｍの人物が、設置面から５００ｍｍの高さに位置するシート部８０（座面８１）に座った状態の目線の高さが約１２７ｃｍとなり、天板５６ａ上に傾斜して配置された操作端末機６０の表示画面を見易く、かつ操作しやすくすることができる。
【００４４】
また、本実施形態では、天板５６ａの幅Ｗ１を５００ｍｍ、筐体５５の幅Ｗ２を３５０ｍｍとすることにより筐体５５の両側に空間を形成し、この空間を利用して筐体５５（制御電算機卓５１）とシート部８０とを接続することで、筐体５５とシート部８０との接続部に生じる隙間を目立たなくすることができる。
図１２（ｂ）において、シート部８０に形成された収納空間８７は、設置面に対して傾斜するように形成されると共に、開口部の高さＨ３が３５０ｍｍ、奥行Ｄ２が３５０ｍｍの大きさを備えている。
このような寸法体系とすることにより、開口部から収納空間へ荷物や靴などを入れやすくすることができ、しかも収納空間が傾斜して形成されているので、荷物や靴などを確実に収納することができる。
【００４５】
以上のように、本実施形態に係るシーティングユニット５０ａの寸法体系の一例について説明したが、これに限定されるものではない。例えば、シーティングシステムの全長Ｌ１を２４５０ｍｍ≦Ｌ１≦２７００ｍｍ、天板１２ａの全長Ｌ２を９００ｍｍ≦Ｌ２≦１１００ｍｍ、天板１２ａの幅Ｗ１を５００ｍｍ≦Ｗ１≦６５０ｍｍ、シート部８０の奥行Ｄ１を４５０ｍｍ≦Ｄ１≦５５０ｍｍ、設置面から天板５６ａまでの高さＨ１を６７０ｍｍ≦Ｈ１≦７５０ｍｍ、筐体５２の幅Ｗ２を３００ｍｍ≦Ｗ２≦４００ｍｍ、設置面から座面８１までの高さＨ２を４５０ｍｍ≦Ｈ２≦５５０ｍｍ、開口部の高さＨ３を３００ｍｍ≦Ｈ３≦４００ｍｍ、奥行Ｄ２を３００ｍｍ≦Ｌ２≦１００ｍｍの範囲でシーティングユニットを構成することで、上述した寸法体系のシーティングユニットと同等の効果を得ることができる。
なお、座面８１に形成されたカップホルダー８６は、直径Ｄ３が７５ｍｍ＜Ｄ３＜９０ｍｍの範囲で形成されるようになっており、本実施形態では、直径Ｄ３が８０ｍｍで形成されている。
【００４６】
次に、図１３および図１４を参照して、本発明に実施形態に係るシーティングシステムにより車椅子利用者がゲームを行う場合について説明する。図１３は、本発明の第１の実施形態に係るシーティングユニットと車椅子利用者との関係を示す図であり、図１３（ａ）が平面図、図１３（ｂ）が正面図である。図１４は、車椅子利用者が投球するまでの軌跡を示す図である。
【００４７】
図１３において、天板５６ａは、その先端が筐体５５の前面よりも大きく突出するように筐体５５に取り付け、天板５６ａの先端と筐体５５の前面との間に奥行Ｄ４、高さＨ１の大きさを有する空間を形成している。この空間は、例えば、車椅子利用者が天板５６ａに設けられた操作端末機６０を操作する際の下肢収納空間とすることができる。特に、本実施形態では、空間の奥行Ｄ４を５００ｍｍ、高さＨ１を７００ｍｍとしており、例えば、車椅子利用者が操作端末機６０を操作する際、下肢を収納するのに十分な空間を確保することができ、かつ操作端末機に近づくことができるので、操作端末機６０の操作性や視認性を良好にすることができる。
【００４８】
このような構成からなるシーティングユニット５０ａを設置する際、本実施形態では、例えば、図１４で示すように、２つのシーティングユニット５０ａを組み合わせることでシーティングシステム５０を構成し、互いに隣り合うシーティングシステム５０の間隔、即ち、シーティングシステム５０で最も突出した天板５６ａの間隔Ｄ６が、８５０ｍｍ≦Ｄ６≦１０００ｍｍとなるように設置している。このような寸法体系とすることにより、車椅子利用者が通行するための幅を十分に確保することができ、ボウラーズエリア４０からアプローチエリア３０まで、軌跡Ｓで示すように、スムーズに進むことができる。
【００４９】
次に、図１５を参照して、本発明に係るシーティングシステムの第２の実施形態について説明する。図１５は、本発明の第２の実施形態に係るシーティングシステムを示す斜視図であり、図１５（ａ）が斜視図、図１５（ｂ）がボウラーズエリアへの設置状態を示す図である。
図１５（ａ）において、この実施形態に係るシーティングシステム９０ａは、制御電算機卓５１とこの制御電算機卓５１を挟むように配置された一対のシート部８０とで構成された２つのシーティングユニット５０ａを、それぞれのシート部８０を介して互い違いに接続することで、ほぼ一直線に近い略Ｓ字形状のシーティングシステムを構成している。
【００５０】
このような構成からなるシーティングシステムを、図１５（ｂ）で示すように、レーン１０に設けられた第１仕切部２１の延長線に配置することで、第１仕切部２１とボールリターンクラスタ３１とシーティングシステム９０ａとを、一直線で連続したような構成となるので、第１の実施形態と同様、隣り合うシーティングシステム９０ａ間のスペースＴを、従来の構成より広く取ることができる。
なお、第２の実施形態においては、制御電算機卓やシート部、操作端末機等の構成は第１の実施形態と同様であるため、詳細な説明は省略する。
【００５１】
次に、図１６を参照して、本発明に係るシーティングシステムの第３の実施形態について説明する。図１６は、本発明の第３の実施形態に係るシーティングシステムを示す斜視図であり、図１６（ａ）が斜視図、図１６（ｂ）がボウラーズエリアへの設置状態を示す図である。
図１６（ａ）において、この実施形態に係るシーティングシステム９０ｂは、制御電算機卓５１とこの制御電算機卓５１を挟むように配置された一対のシート部８０とで構成された２つのシーティングユニット５０ａを、一方のシート部の背面が重なるように接続した構成としている。
【００５２】
このような構成のシーティングシステム９０ｂを、図１６（ｂ）で示すように、レーン１０に設けられた第１仕切部２１の延長線に配置することで、第１仕切部２１とボールリターンクラスタとシーティングシステム９０ｂとを、一直線で連続したような構成となるので、第１の実施形態と同様、隣り合うシーティングシステム９０ｂ間のスペースＴを、従来の構成よりも広く取ることができる。
なお、第３の実施形態においては、制御電算機卓やシート部、操作端末機等の構成は第１の実施形態と同様であるため、詳細な説明は省略する。
【図面の簡単な説明】
【００５３】
【図１】本発明の第１の実施形態に係るボウリング装置の概略構成を示す図である。
【図２】本発明の第１の実施形態に係るボウリング装置の機器接続を示すブロック図である。
【図３】本発明の第１の実施形態に係る制御電算機卓の外観を示す図である。
【図４】本発明の第１の実施形態に係る制御電算機卓の筐体の扉の取り外し方を示す図である。
【図５】本発明の第１の実施形態に係る制御電算機卓の機器接続を示すブロック図である。
【図６】本発明の第１の実施形態に係る制御電算機の冷却構造を示す図である。
【図７】本発明の第１の実施形態に係るシート部の外観を示す図である。
【図８】本発明の第１の実施形態に係るシーティングシステムを示す斜視図である。
【図９】本発明の第１の実施形態に係る操作端末機の外観を示す図である。
【図１０】本発明の第１の実施形態に係る充電台の外観を示す図である。
【図１１】本発明の第１の実施形態に係る操作端末機の保持状態を示す図である。
【図１２】本発明の第１の実施形態に係るシーティングユニットの一例を示す図である。
【図１３】本発明の第１の実施形態に係るシーティングユニットと車椅子利用者との関係を示す図である。
【図１４】車椅子利用者が投球するまでの軌跡を示す図である。
【図１５】本発明の第２の実施形態に係るシーティングシステムを示す斜視図である。
【図１６】本発明の第３の実施形態に係るシーティングシステムを示す斜視図である。
【図１７】従来のボウリング装置の概略構成を示す図である。
【符号の説明】
【００５４】
１…ボウリング装置、１０…レーン、２０…レーンエリア、２１…第１仕切部、２２…第２仕切部、２３…ピンセッター装置、２４…マスキング、３０…アプローチエリア、３１…ボールリターンクラスタ、３２…オーバーヘッドモニタ、４０…ボウラーズエリア、４１…配線穴、４５…操作装置、４６…制御卓、５０…シーティングユニット、５１…制御電算機卓、５２…制御電算機、５３…レール、５５…筐体、５５ａ…扉、５５ｂ…扉、５５ｃ…扉、５５ｄ…扉、５６…テーブル部、５６ａ…天板、５６ｂ…背面板、５７…ケーブル格納部、５８…無線通信ユニット、５９…外部機器接続ユニット、６０…操作端末機、６１…充電台、６２…凸部、６３…充電金具、６４…ＡＣアダプタ、６５…表示部、６６…電源スイッチ、６７…ランプ部、６７ａ…第１ランプ、６７ｂ…第２ランプ、６８…ブザー部、６９…リセット穴、７０…内部電話機、８０…シート部、８１…座面、８２…荷物台、８３…側面板、８４…シート筐体、８５…ケーブル収納部、８７…収納空間９０…シーティングシステム、９５…凹部、９６…手掛け部、９７…充電端子、９８…開閉蓋、１５０…ダウンスキャンコンバータ、１６０…フロント、１６１…メインコンピュータ、１６２…プリンタ、１７０…センサー類、１８０…操作スイッチ類、１９０…電源制御装置、１９１…電源、１９２…ブレーカー、２００…入力装置、３００…大型機器、５００…ボウリング装置、Ｓ…軌跡、Ｔ…スペース。
【図１】
2006115969.tif 000003
【図２】
2006115969.tif 000004
【図３】
2006115969.tif 000005
【図４】
2006115969.tif 000006
【図５】
2006115969.tif 000007
【図６】
2006115969.tif 000008
【図７】
2006115969.tif 000009
【図８】
2006115969.tif 000010
【図９】
2006115969.tif 000011
【図１０】
2006115969.tif 000012
【図１１】
2006115969.tif 000013
【図１２】
2006115969.tif 000014
【図１３】
2006115969.tif 000015
【図１４】
2006115969.tif 000016
【図１５】
2006115969.tif 000017
【図１６】
2006115969.tif 000018
【図１７】
2006115969.tif 000019